(57)【特許請求の範囲】
【請求項１】
飾り物品本体に、紐の結び目を収納することができる結び目収納孔と、この結び目収納孔に連絡された、前記紐は通るが前記結び目は通らない形態の結び目止め紐通し孔とを備えてなるとともに、
前記結び目収納孔と前記結び目止め紐通し孔との連絡が、非直角交差形態である傾斜連絡形態である、あるいは前記結び目止め紐通し孔から挿入されて前記結び目収納孔に入った紐の先端が当たる該結び目収納孔の壁面部位が傾斜面であることを特徴とする紐通し孔付き飾り物品。
【請求項２】
前記結び目収納孔が貫通孔であることを特徴とする請求項１記載の紐通し孔付き飾り物品。
【請求項３】
飾り物品本体に、紐は通るがその紐の結び目は通らない形態の第１の結び目止め紐通し孔と、この第１の結び目止め紐通し孔に連絡された、前記紐は通るが前記結び目は通らない形態の第２の結び目止め紐通し孔６７とを備えてなるとともに、
前記第１の結び目止め紐通し孔と前記第２の結び目止め紐通し孔との連絡が、非直角交差形態である傾斜連絡形態であり、前記第２の結び目止め紐通し孔から挿入された前記紐の一方側は前記第１の結び目止め紐通し孔の出口から出され、その出された前記紐の一方側に前記結び目を形成して、前記第２の結び目止め紐通し孔から出ている前記紐の他方側を引くと、前記結び目は前記第１の結び目止め紐通し孔の出口を形成している出口形成壁で止められ該前記第１の結び目止め紐通し孔に入ることが阻止される、以上のごとく構成されてなることを特徴とする紐通し孔付き飾り物品。
【請求項４】
前記出口形成壁は前記飾り物品本体の内側に位置され、前記結び目が前記出口形成壁に当たっている状態では、前記結び目は前記飾り物品本体の内側に位置して、前記第２の結び目止め紐通し孔が形成されていない前記飾り物品本体の面を看者から見て正面を向いている状態では、結び目は前記飾り物品本体の背面側に隠れて前記看者からは見えない形態であることを特徴とする請求項３に記載の紐通し孔付き飾り物品。
【請求項５】
前記結び目収納孔が溝形態であるとともに、後付による他の部材によって前記溝形態の溝開口が塞がれて、前記結び目収納孔が形成される形態であることを特徴とする請求項１、２のいずれか１項に記載の紐通し孔付き飾り物品。
【請求項６】
前記第１の結び目止め紐通し孔が溝形態であるとともに、後付による他の部材によって前記溝形態の溝開口が塞がれて、前記第１の結び目止め紐通し孔が形成される形態であることを特徴とする請求項３、４のいずれか１項に記載の紐通し孔付き飾り物品。
【請求項７】
飾り物品本体に、紐の結び目を収納することができる貫通孔である結び目収納孔と、この結び目収納孔に連絡された、前記紐は通るが前記結び目は通らない形態の結び目止め紐通し孔とを備えてなるとともに、前記結び目収納孔と前記結び目止め紐通し孔との連絡が、非直角交差形態である傾斜連絡形態である、あるいは前記結び目止め紐通し孔から挿入されて前記結び目収納孔に入った紐の先端が当たる該結び目収納孔の壁面部位が傾斜面である紐通し孔付き飾り物品と、
前記紐通し孔付き飾り物品に紐の一方の側を連結してなる連結紐と、を備えるとともに、
前記紐の一方の側の連結形態が、前記紐の一方の側が前記結び目止め紐通し孔から挿入され、前記結び目収納孔から出されて一方側の紐突出部位を形成し、この一方側の紐突出部位に一方側の結び目を形成して、この一方側の結び目を前記結び目収納孔に引き込みないし押し込みによって収納状態とし、
以上のごとく構成されてなることを特徴とする携帯ストラップ。
【請求項８】
第１物品の飾り物品本体に、紐の結び目を収納することができる貫通孔である第１物品の結び目収納孔と、この第１物品の結び目収納孔に連絡された、前記紐は通るが前記結び目は通らない形態の第１物品の結び目止め紐通し孔とを備えてなるとともに、前記第１物品の結び目収納孔と前記第１物品の結び目止め紐通し孔との連絡が、非直角交差形態である傾斜連絡形態である第１の紐通し孔付き飾り物品と、
第２物品の飾り物品本体に、紐の結び目を収納することができる貫通孔である第２物品の結び目収納孔と、この第２物品の結び目収納孔に連絡された、前記紐は通るが前記結び目は通らない形態の第２物品の結び目止め紐通し孔とを備えてなるとともに、前記第２物品の結び目収納孔と前記第２物品の結び目止め紐通し孔との連絡が、非直角交差形態である傾斜連絡形態である第２の紐通し孔付き飾り物品と、
前記第１の紐通し孔付き飾り物品を紐の一方側に連結し、紐の他方の側を前記第２の紐通し孔付き飾り物品を連結してなる連結紐と、を備えるとともに、
前記連結紐の一方側である紐の一方側が、前記第１物品の結び目止め紐通し孔から挿入され、前記第１物品の結び目収納孔から出されて一方側の紐突出部位を形成し、この一方側の紐突出部位に一方側の結び目を形成して、この一方側の結び目を前記第１物品の結び目収納孔に引き込みないし押し込みによって収納状態とし、
前記連結紐の他方側である紐の他方側が、前記第２物品の結び目止め紐通し孔から挿入され、前記第２物品の結び目収納孔から出されて他方側の紐突出部位を形成し、この他方側の紐突出部位に他方側の結び目を形成して、この他方側の結び目を前記第２物品の結び目収納孔に引き込みないし押し込みによって収納状態とし、
以上のごとく構成されてなることを特徴とする携帯ストラップ。
【請求項９】
前記連結紐が非ループの一本紐であることを特徴とする請求項７、８のいずれか１項に記載の携帯ストラップ。
【発明の詳細な説明】
【技術分野】
【０００１】
本発明は、飾り物品に紐を手による取付け操作によって容易に取りつけて、例えば携帯ストラップを形成することができる紐通し孔付き飾り物品に関する。
【背景技術】
【０００２】
従来、物品本体に一本紐の結び目が収納される貫通孔である結び目収納孔と、この結び目収納孔に直角Ｔ字交差形態で連絡された、一本の前記紐は通るが前記結び目は通らない形態の結び目止め紐通し孔を備えてなる紐通し孔付き飾り物品が知られている。（例えば、特許文献1）
【先行技術文献】
【特許文献】
【０００３】
【特許文献１】特開2013-46726号公報（図１９、図２４）
【発明の概要】
【発明が解決しようとする課題】
【０００４】
上述した従来技術は、結び目収納孔と結び目止め紐通し孔が直角Ｔ字交差形態で連絡された形態であるので、次に述べるような欠点を有するものであった。
（１）手による取付け操作によって、結び目止め紐通し孔から挿入して結び目収納孔に到達した紐の先端が、該結び目収納孔の壁面に直角に当たって止められてしまい、さらに紐を押し込んでも紐の先端が横を向き難く、紐が曲り折れることも生じ、円滑に該結び目収納孔を進み該結び目収納孔から外に出すことができ難いという欠点を有するものであった。
特に腰が弱くしなやかさに欠ける柔らかない紐を通すことが、でき難いものであった。
【０００５】
（２）紐を取り付けた状態にあっては、結び目収納孔内に位置する紐部位と結び目止め紐通し孔内に位置する紐部位が、直角Ｔ字交差形態の孔連絡形態によって、紐はその交差角によって直角に折れた直角紐折れ状態となっている。
そして、紐通し孔付き飾り物品から紐を取り外すために、結び目止め紐通し孔の口の付近で紐を切断し、結び目収納孔に棒を挿入し中の結び目を押し出す操作をした場合、紐の前記直角紐折れ状態であるので、結び目を移動させないようにする抵抗が大きく、棒で押しても結び目が容易には出てこないことが生じるという欠点があった。
この欠点は、特に結び目収納孔の径が、一回結びの結び目がちょうど入る大きさから少し結び目が変形されて入る大きさくらいである場合には、押し出し開始時では前記直角紐折れ状態が緩まないままでの、結び目押し出し操作となるので、押し出し難さは顕著となるものであった。
【０００６】
また、この欠点は、紐を通す時の紐の持ち位置と持ち方、紐の押し込み方、紐のしなやかさ、指の器用さなどがある程度要求されことになり、何の訓練もなしに誰でもが簡単に紐を通し取り付けるには、難があるものであったし、結び目収納孔に紐が入った状態を手で保持して、棒部材を結び目収納孔に挿入して紐の先端向きを変えてやるなどの操作が必要となるなど、取付けが煩わしく紐交換作業を敬遠する人が多く生じるという問題を持つものであった。
また、それは大量生産する場合には、生産性を低くするという問題があるものであった。
【０００７】
本発明は以上のような従来技術の欠点に鑑み、紐の紐通し孔付き飾り物品への手による取付け操作で、結び目止め紐通し孔から挿入して結び目収納孔に到達した紐が、さらなる押し込み操作で該結び目収納孔を円滑に進ませて、該結び目収納孔から容易に外に出すことができる、紐通し孔付き飾り物品を提供することを第１の目的としている。
また、前記第１の目的に加えて、結び目収納孔内の結び目を容易に取り出すことができる、紐通し孔付き飾り物品を提供することを第２の目的としている。
また、購入者が紐の取り外し取付けを容易にでき、新たな紐に紐通し孔付き飾り物品を取り付けて新たな携帯ストラップを容易に形成可能な携帯ストラップを提供することを目的としている。
【課題を解決するための手段】
【０００８】
上記目的を達成するために、本発明は次のような構成としている。
＜請求項１記載の発明＞
飾り物品本体に、紐の結び目を収納することができる結び目収納孔と、この結び目収納孔に連絡された、前記紐は通るが前記結び目は通らない形態の結び目止め紐通し孔とを備えてなるとともに、
前記結び目収納孔と前記結び目止め紐通し孔との連絡が、非直角交差形態である傾斜連絡形態である、あるいは前記結び目止め紐通し孔から挿入されて前記結び目収納孔に入った紐の先端が当たる該結び目収納孔の壁面部位が傾斜面であることを特徴とする紐通し孔付き飾り物品である。
【０００９】
＜請求項２記載の発明＞
前記結び目収納孔が貫通孔であることを特徴とする請求項１記載の紐通し孔付き飾り物品である。
【００１０】
＜請求項３記載の発明＞
飾り物品本体に、紐は通るがその紐の結び目は通らない形態の第１の結び目止め紐通し孔と、この第１の結び目止め紐通し孔に連絡された、前記紐は通るが前記結び目は通らない形態の第２の結び目止め紐通し孔６７とを備えてなるとともに、
前記第１の結び目止め紐通し孔と前記第２の結び目止め紐通し孔との連絡が、非直角交差形態である傾斜連絡形態であり、前記第２の結び目止め紐通し孔から挿入された前記紐の一方側は前記第１の結び目止め紐通し孔の出口から出され、その出された前記紐の一方側に前記結び目を形成して、前記第２の結び目止め紐通し孔から出ている前記紐の他方側を引くと、前記結び目は前記第１の結び目止め紐通し孔の出口を形成している出口形成壁で止められ該前記第１の結び目止め紐通し孔に入ることが阻止される、以上のごとく構成されてなることを特徴とする紐通し孔付き飾り物品である。
【００１１】
＜請求項４記載の発明＞
前記出口形成壁は前記飾り物品本体の内側に位置され、前記結び目が前記出口形成壁に当たっている状態では、前記結び目は前記飾り物品本体の内側に位置して、前記第２の結び目止め紐通し孔が形成されていない前記飾り物品本体の面を看者から見て正面を向いている状態では、結び目６８は前記飾り物品本体の背面側に隠れて前記看者からは見えない形態であることを特徴とする請求項３に記載の紐通し孔付き飾り物品である。
【００１２】
＜請求項５記載の発明＞
前記結び目収納孔が溝形態であるとともに、後付による他の部材によって前記溝形態の溝開口が塞がれて、前記結び目収納孔が形成される形態であることを特徴とする請求項１、２のいずれか１項に記載の紐通し孔付き飾り物品である。
【００１３】
＜請求項６記載の発明＞
前記第１の結び目止め紐通し孔が溝形態であるとともに、後付による他の部材によって前記溝形態の溝開口が塞がれて、前記第１の結び目止め紐通し孔が形成される形態であることを特徴とする請求項３、４のいずれか１項に記載の紐通し孔付き飾り物品である。
【００１４】
＜請求項７記載の発明＞
飾り物品本体に、紐の結び目を収納することができる貫通孔である結び目収納孔と、この結び目収納孔に連絡された、前記紐は通るが前記結び目は通らない形態の結び目止め紐通し孔とを備えてなるとともに、前記結び目収納孔と前記結び目止め紐通し孔との連絡が、非直角交差形態である傾斜連絡形態である、あるいは前記結び目止め紐通し孔から挿入されて前記結び目収納孔に入った紐の先端が当たる該結び目収納孔の壁面部位が傾斜面である紐通し孔付き飾り物品と、
前記紐通し孔付き飾り物品に紐の一方の側を連結してなる連結紐と、を備えるとともに、
前記紐の一方の側の連結形態が、前記紐の一方の側が前記結び目止め紐通し孔から挿入され、前記結び目収納孔から出されて一方側の紐突出部位を形成し、この一方側の紐突出部位に一方側の結び目を形成して、この一方側の結び目を前記結び目収納孔に引き込みないし押し込みによって収納状態とし、
以上のごとく構成されてなることを特徴とする携帯ストラップである。
【００１５】
いわゆる、請求項１記載の発明の紐通し孔付き飾り物品に連結紐を連結して形成した携帯ストラップである。
【００１６】
＜請求項８記載の発明＞
第１物品の飾り物品本体に、紐の結び目を収納することができる貫通孔である第１物品の結び目収納孔と、この第１物品の結び目収納孔に連絡された、前記紐は通るが前記結び目は通らない形態の第１物品の結び目止め紐通し孔とを備えてなるとともに、前記第１物品の結び目収納孔と前記第１物品の結び目止め紐通し孔との連絡が、非直角交差形態である傾斜連絡形態である第１の紐通し孔付き飾り物品と、
第２物品の飾り物品本体に、紐の結び目を収納することができる貫通孔である第２物品の結び目収納孔と、この第２物品の結び目収納孔に連絡された、前記紐は通るが前記結び目は通らない形態の第２物品の結び目止め紐通し孔とを備えてなるとともに、前記第２物品の結び目収納孔と前記第２物品の結び目止め紐通し孔との連絡が、非直角交差形態である傾斜連絡形態である第２の紐通し孔付き飾り物品と、
前記第１の紐通し孔付き飾り物品を紐の一方側に連結し、紐の他方の側を前記第２の紐通し孔付き飾り物品を連結してなる連結紐と、を備えるとともに、
前記連結紐の一方側である紐の一方側が、前記第１物品の結び目止め紐通し孔から挿入され、前記第１物品の結び目収納孔から出されて一方側の紐突出部位を形成し、この一方側の紐突出部位に一方側の結び目を形成して、この一方側の結び目を前記第１物品の結び目収納孔に引き込みないし押し込みによって収納状態とし、
前記連結紐の他方側である紐の他方側が、前記第２物品の結び目止め紐通し孔から挿入され、前記第２物品の結び目収納孔から出されて他方側の紐突出部位を形成し、この他方側の紐突出部位に他方側の結び目を形成して、この他方側の結び目を前記第２物品の結び目収納孔に引き込みないし押し込みによって収納状態とし、
以上のごとく構成されてなることを特徴とする携帯ストラップである。
【００１７】
いわゆる、請求項１記載の発明の紐通し孔付き飾り物品と同様の構成である、第１の紐通し孔付き飾り物品と第２の紐通し孔付き飾り物品を、連結紐で連結して形成した携帯ストラップである。
【００１８】
＜請求項９記載の発明＞
前記連結紐が非ループの一本紐であることを特徴とする請求項７、８のいずれか１項に記載の携帯ストラップである。
【発明の効果】
【００１９】
＜請求項１記載の発明の効果＞
本発明のる紐通し孔付き飾り物品は、以上述べた通り、結び目収納孔と結び目止め紐通し孔との連絡が、非直角交差形態である傾斜連絡形態、あるいは結び目止め紐通し孔から挿入されて結び目収納孔に入った紐の先端が当たる該結び目収納孔の壁面部位が傾斜面（以下「紐当たり面傾斜形態」ともいう。）という構成を発明の中核としている。
この「紐当たり面傾斜形態」という構成によって、手操作で結び目止め紐通し孔から挿入した紐の先端は、結び目止め紐通し孔（垂直にした場合）に対して下り傾斜面となっている結び目収納孔の壁面に当たるのであるが、そのまま手操作で押し込むと前記下り傾斜面によって紐先端の向きを下り傾斜方向（下流側）に殆ど抵抗なくないし抵抗少なく容易円滑に向かせて、そのまま紐を押し込み進めて容易円滑に結び目収納孔の下流側の口から紐の先端を外に出すことができ、外に出た突出紐部位に結び目を作り、結び目止め紐通し孔から出ている紐部位を引っ張って、その結び目を結び目収納孔に引き込み収納できるという一連の紐取付け操作を、誰でもが手操作にみによって簡単に素早くできるという効果を奏する。
【００２０】
腰が弱くしなやかさに欠ける柔らかない紐でも、簡単に素早く通し取り付けることを実現する。
【００２１】
また、結び目収納孔と結び目止め紐通し孔との連絡が、非直角交差形態である傾斜連絡形態が、直角交差形態よりも広い広角交差形態であるので、結び目収納孔と結び目止め紐通し孔の交差部位での紐の折れ曲りは、直角折れ曲りよりも緩やかな広角折れ曲り形態となる。
この紐の緩やかな広角折れ曲り形態が、紐の押し込み移動を抵抗の少ない、誰でも手操作のみで簡単、容易に行えるものにしている。
これらによって、誰でもが手による取付け操作で、簡単に素早く紐通し孔付き飾り物品に紐を取付けた携帯ストラップ等を作成することができる。
【００２２】
また、携帯ストラップ等の際の、紐通しの作業容易性と取付けスピードが上がるので、携帯ストラップ等の生産性を高くできる。
【００２３】
＜請求項２記載の発明の効果＞
前記請求項１記載の発明と同様な効果を奏するとともに、紐の結び目収納孔が貫通孔とした「紐当たり面傾斜形態」（以下「貫通紐当たり面傾斜形態」という。）であるので、結び目収納孔と結び目止め紐通し孔との交差連絡角度は直角よりも広い交差角度となるものであるので、通されている紐も直角紐折れ形態ではない、直角よりも広い広角紐折れ形態となるものである。
よって、結び目止め紐通し孔の口の付近で紐を切断し、結び目収納孔の上流側の口から棒部材を挿入し、結び目を押し出す操作をした場合にあっては、前記広角紐折れ形態である紐は抵抗少なく容易に移動するので、結び目を誰でもが、棒部材（例えば、針金クリップを延ばしたもの、爪楊枝など。）の結び目収納孔への挿入によって簡単、容易に押し出し取り除くことができるという効果を奏する。
【００２４】
結び目収納孔から結び目を出した紐通し孔付き飾り物品は、新たに紐を取り付けて、あるいは新たな紐に取り付けて、何回でも携帯ストラップ等を作り直すことを実現する。
すなわち、多様な紐通し孔付き飾り物品の組み合わせによる、携帯ストラップ等を誰でもが簡単、容易、手軽に作成して楽しむことができる。よって、紐通し孔付き飾り物品を捨てることなく、とっておくことで他の紐通し孔付き飾り物品との組み合わせを、好みの長さ色彩の紐とで組み合わせて新たな携帯ストラップ等を購入者が簡単、容易、手軽に自ら作成することを実現するものである。
【００２５】
＜請求項３記載の発明の効果＞
本発明のる紐通し孔付き飾り物品は、以上述べた通り、第１の結び目止め紐通し孔と第２の結び目止め紐通し孔との連絡が、非直角交差形態である傾斜連絡形態（以下「第１の結び目止め紐通し孔と第２の結び目止め紐通し孔の傾斜連絡形態」という。）という構成を発明の中核としている。
この「第１の結び目止め紐通し孔と第２の結び目止め紐通し孔の傾斜連絡形態」という構成によって、手操作で第２の結び目止め紐通し孔から挿入した紐の先端は、第２の結び目止め紐通し孔（垂直にした場合）に対して下り傾斜面となっている第１の結び目止め紐通し孔の壁面に当たるのであるが、そのまま手操作で押し込むと前記下り傾斜面によって紐先端の向きを下り傾斜方向（下流側）に殆ど抵抗なくないし抵抗少なく容易円滑に向かせて、そのまま紐を押し込み進めて容易円滑に第１の結び目止め紐通し孔の下流側の口（出口）から紐の先端を外に出すことができ、外に出た突出紐部位に結び目を作り、第２の結び目止め紐通し孔から出ている紐部位を引っ張って、その結び目を第１の結び目止め紐通し孔の出口を形成している出口形成壁で止められ該前記第１の結び目止め紐通し孔に入ることが阻止される、という一連の紐取付け操作を、誰でもが手操作にみによって簡単に素早くできるという効果を奏する。
【００２６】
また、第１の結び目止め紐通し孔と第２の結び目止め紐通し孔との連絡が、非直角交差形態である傾斜連絡形態が、直角交差形態よりも広い広角交差形態であるので、第１の結び目止め紐通し孔と第２の結び目止め紐通し孔の交差部位での紐の折れ曲りは、直角折れ曲りよりも緩やかな広角折れ曲り形態となる。
この紐の緩やかな広角折れ曲り形態が、紐の押し込み移動を抵抗の少ない、誰でも手操作のみで簡単、容易に行えるものにしている。
これらによって、誰でもが手による取付け操作で、簡単に素早く紐通し孔付き飾り物品に紐を取付けた携帯ストラップ等を作成することができる。
【００２７】
また、携帯ストラップ等の際の、紐通しの作業容易性と取付けスピードが上がるので、携帯ストラップ等の生産性を高くできる。
【００２８】
結び目は第１の結び目止め紐通し孔の孔出口を形成する出口形成壁の外に位置され、看者から見える形態であるので、結び目を爪楊枝等で溝の外に持ち上げるなどして出し、出た結び目を指で摘み引いて紐を露出させ該露出した紐部位を切断して、紐を取り除くことが容易にできる。
あるいは第２の結び目止め紐通し孔側の紐を切断して、結び目を針金クリップを延ばしたもの、爪楊枝等で溝の外に持ち上げるなどして出し、出た結び目を摘み取り出し除くことができる。
すなわち、結び目の取り出しが簡単に素早く誰でもが行うことができる。
【００２９】
＜請求項４記載の発明の効果＞
請求項３記載の発明と同様な効果を奏するとともに、前記出口形成壁は前記飾り物品本体の内側に位置されているので、前記第２の結び目止め紐通し孔が形成されていない前記飾り物品本体の面を看者から見て正面を向いている状態では、結び目は前記飾り物品本体の背面側に隠れて前記看者からは見えない形態を実現する。
【００３０】
＜請求項５記載の発明の効果＞
請求項１、２のいずれか１項に記載の発明と同様な効果を奏するとともに、結び目収納孔が溝形態であるので、後付でこの溝形態の開口を塞ぐ他の部材（以下「後付飾り部材」という。）を取り付けて結び目収納孔を形成することができる。
後付飾り部材は、多様な形態、模様、素材のものにでき、本発明の結び目収納孔が溝形態である紐通し孔付き飾り物品は、規格化されたものに統一したものにできる。溝形態であるので金型で成型する場合はその金型を安価にできる等、極めて安価なものにできるとともに、後付飾り部材は孔の無い底平らなプレート形態等とできるので、これも金型を安くできる、あるは単にシート形態やプレート形態のものでもよいので、製造しやすく後付飾り部材も安価なものにできるという効果を奏する。
【００３１】
＜請求項６記載の発明の効果＞
請求項３、４のいずれか１項に記載の発明と同様な効果を奏するとともに、前記請求項５記載の発明と同様な効果を奏する。
【００３２】
＜請求項７記載の発明の効果＞
紐通し孔付き飾り物品が、前記請求項２記載の発明でいうところの「貫通紐当たり面傾斜形態」であるので、前記請求項２記載の発明と同様な紐の取付け操作、取り外し操作を、誰でもが手による紐の押し込み操作だけで簡単、容易に行うことができる。
よって、紐を新たなものに簡単、容易に交換できる携帯ストラップを実現するという効果を奏する。
【００３３】
＜請求項８記載の発明の効果＞
請求項７記載の発明と同様な効果を奏するとともに、多様な形態・種類の第１の紐通し孔付き飾り物品と第２の紐通し孔付き飾り物品の組み合わせの携帯ストラップを、誰でもが簡単、容易な紐の押し込み操作、取り外し操作だけで簡単、容易に行うことができる。
【００３４】
＜請求項９記載の発明の効果＞
請求項７、８のいずれか１項に記載の発明と同様な効果を奏するとともに、連結紐が非ループの一本紐であるので、紐通し操作、紐切断取り出し操作、結び目形成操作が行いやすく、材料費も最低限で済、見た目もシンプルな景観を実現する。
【図面の簡単な説明】
【００３５】
【図１】本発明の実施例１を示す裏面図（底面図）、側面図および中央横切断断面図。
【図２】本発明の実施例１の紐の取付け手順図。
【図３】本発明の実施例２の側面図および背面図。
【図４】本発明の実施例３の携帯ストラップの形成手順図。
【図５】本発明の実施例４の部分断面正面図および一部物品の側面図。
【図６】本発明の実施例４の携帯ストラップの取付け手順図。
【図７】本発明の実施例４の携帯ストラップの他の取付け順図。
【図８】本発明の実施例５の裏面図（底面図）およびＡ−Ａ線切断面図。
【図９】本発明の実施例６の正面図および側面図、他の物品の正面図および側面図。
【図１０】本発明の実施例７の断面図、側面図および平面図、他の物品の断面図、側面図および平面図。
【図１１】本発明の実施例８の斜視図。
【図１２】本発明の実施例９の斜視図および断面図。
【図１３】本発明の実施例１０の斜視図。
【図１４】本発明の実施例１１の斜視図。
【図１５】本発明の実施例１２の斜視図および接合斜視図。
【図１６】本発明の実施例１３の部分断面正面図および一部物品の側面図。
【図１７】本発明の実施例１４の側面図および正面図。
【図１８】本発明の実施例１５の正面図。
【発明を実施するための形態】
【００３６】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００３７】
図１、図２に示す本発明の実施例１において、紐通し孔付き飾り物品１０は、円盤形態の飾り物品本体１に、太さ０．８ｍｍ〜１ｍｍの一本紐あるいは二本紐（ここでは非ループの一本紐）からなる連結紐２の結び目３を収納することができる結び目収納孔４と、この結び目収納孔４に連絡された、連結紐２は通るが結び目３は通らない形態の孔径１ｍｍ〜１．２ｍｍの結び目止め紐通し孔５とを備えてなるとともに、
結び目収納孔４と結び目止め紐通し孔５との連絡が、結び目収納孔４を水平とした場合においては、結び目止め紐通し孔５が真直ぐに傾斜した非直角交差形態である傾斜連絡形態であることを特徴としている。
結び目収納孔４は貫通孔であり、結び目止め紐通し孔５の傾斜側の口が下流側の口６とし、他方の口を上流側の口７としている。
【００３８】
結び目止め紐通し孔５の開口には連結紐２を差し込みやすく案内する誘い込み１１が形成され、下流側の口６の開口には結び目３を引き込み易くするための誘い込み１２が形成されている。
以下に述べる実施例のおいても、誘い込み１１、１２を設けるのがよい。
【００３９】
連結紐２の紐の一方の側を結び目止め紐通し孔５から挿入し、押しこみ操作して結び目収納孔４内を進めて該結び目収納孔４の下流側の口６から出されて一方側の紐突出部位８を形成し、この一方側の紐突出部位８に一方側の結び目である結び目３を形成して、この結び目３を結び目収納孔４内に引き込み収納状態とする。
結び目３は結び目止め紐通し孔５よりも大きい形態であるので、結び目３は結び目収納孔４に止められて抜けない形態となって、携帯ストラップ等が形成される。
【００４０】
結び目収納孔４と結び目止め紐通し孔５との連絡が、非直角交差形態である傾斜連絡形態であるところを核心としている。
この非直角交差形態である傾斜連絡形態（以下「紐当たり面傾斜形態」という。）という構成によって、手操作によって結び目止め紐通し孔５から挿入した連結紐２の先端は、結び目止め紐通し孔５に対して下り傾斜面となっている結び目収納孔４の壁面に当たるのであるが、そのまま押し込むと下り傾斜面であるために連結紐２の先端の向きを下り傾斜方向（下流側）に殆ど抵抗なく容易円滑に向かせて、そのまま連結紐２を押し込み進めて、容易円滑に結び目収納孔４の下流側の口６から連結紐２の先端を外に出すことができるという効果を奏する。
外にでた連結紐２の部位に結び目３を作り、結び目止め紐通し孔５から出ている紐部位を引っ張って、結び目３を結び目収納孔４に引き込み収納する。
【００４１】
また、結び目収納孔４と結び目止め紐通し孔５との連絡が、非直角交差形態である傾斜連絡形態が、直角交差形態よりも広い広角交差形態であるので、結び目収納孔４と結び目止め紐通し孔５の交差部位での連結紐２の折れ曲りは、直角折れ曲りよりも緩やかな広角折れ曲り形態となる。
この連結紐２の緩やかな広角折れ曲り形態が、連結紐２の押し込み移動を抵抗の少ない、手操作のみで誰でも簡単、容易に行えるものにしている
これによって、誰でもが手による取付け操作で、簡単に紐通し孔付き飾り物品に連結紐２を通し取付けて、携帯ストラップ等を作成することができる。
【００４２】
結び目収納孔４が貫通孔であることから、紐付き状態の紐通し孔付き飾り物品１０の連結紐２を結び目止め紐通し孔５の口付近で切断し、結び目収納孔４の上流側の口７から棒（図示せず省略。針金クリップを延ばしたものなど。）を挿入して、結び目３を突き押し出すことが簡単にできる。
結び目収納孔４から結び目３を出した紐通し孔付き飾り物品１０は、新たに連結紐を取り付けて、あるいは新たな連結紐に取り付けて、何回でも携帯ストラップ等を作り直すことができる。
【００４３】
紐通し孔付き飾り物品の形態は、星形、ハート形、キャラクター等の顔、ロゴ、マーク、花形、果物型、人型、動物形、山形、何らかのシンボル形など多様な形態のものがある。
【実施例２】
【００４４】
図３示す本発明の実施例２において、紐通し孔付き飾り物品１３は、合成樹脂製部材、木製部材、金属製部材などからなる動物形態の飾り物品本体１４の頭部に、非ループの一本紐からなる連結紐（図示せず省略）の結び目を収納することができる結び目収納孔１５と、この結び目収納孔１５に連絡された、連結紐の非ループ一本は通るが結び目は通らない形態の結び目止め紐通し孔１６とを備えてなるとともに、
結び目収納孔１５と結び目止め紐通し孔１６との連絡が、結び目止め紐通し孔１６を垂直とした場合においては、結び目収納孔１５が横向きの直線形態で傾斜した非直角交差形態である傾斜連絡形態であることを特徴としている。
結び目収納孔１５は貫通孔であり、結び目止め紐通し孔１６の下り傾斜側の口が下流側の口１７とし、上り傾斜側である他方の口を上流側の口１８としている。
【００４５】
結び目収納孔１５と結び目止め紐通し孔１６との連絡が、非直角交差形態である傾斜連絡形態であるところを核心としている。
この非直角交差形態である傾斜連絡形態（以下「紐当たり面傾斜形態」という。）という構成によって、手操作によって結び目止め紐通し孔１６から挿入した連結紐の先端は、結び目止め紐通し孔１６に対して下り傾斜面となっている結び目収納孔１５の壁面に当たるのであるが、そのまま押し込むと下り傾斜面であるために連結紐の先端の向きを下り傾斜方向（下流側）に殆ど抵抗なく容易円滑に向かせて、そのまま連結紐を押し込み進めて、容易円滑に結び目収納孔１５の下流側の口１７から連結紐の先端を外に出すことができる。
外にでた連結紐の部位に結び目を作り、結び目止め紐通し孔１６から出ている紐部位を引っ張って、結び目を結び目収納孔１５に引き込み収納する。
【００４６】
また、結び目収納孔１５と結び目止め紐通し孔１６との連絡が、非直角交差形態である傾斜連絡形態が、直角交差形態よりも広い広角交差形態であるので、結び目収納孔１５と結び目止め紐通し孔１６の交差部位での連結紐の折れ曲りは、直角折れ曲りよりも緩やかな広角折れ曲り形態となる。
この連結紐の緩やかな広角折れ曲り形態が、連結紐の押し込み移動を抵抗の少ない、手操作のみで誰でも簡単、容易に行えるものにしている
これによって、誰でもが手による取付け操作で、簡単に紐通し孔付き飾り物品に連結紐を通し取付けて、携帯ストラップ等を作成することができる。
【００４７】
結び目収納孔１５が貫通孔であることから、紐付き状態の紐通し孔付き飾り物品１３の連結紐を結び目止め紐通し孔１６の口付近で切断し、結び目収納孔１５の上流側の口１８から棒を挿入して、結び目を突き押し出すことが簡単にできる。
結び目収納孔１５から結び目を出した紐通し孔付き飾り物品１３は、新たに連結紐を取り付けて何回でも携帯ストラップ等を形成することができる。
【実施例３】
【００４８】
図４に示す本発明の実施例３において、２０は携帯ストラップであって、この携帯ストらラップ２０は次のような構成ないし制作工程に形成される。
携帯電話などの携帯品２１は、携帯品側紐取付け孔２２を有している。
紐通し孔付き飾り物品１０の結び目止め紐通し孔５に連結紐２の紐の一方の側を挿入し、紐の一方の側を結び目収納孔４の下流側の口６から出した一方側の紐突出部位８に、一方の側の結び目である結び目３を形成して、余分な部位を切り取り先端が解れないようにライター等の炎で軽く炙り溶解固化させ、結び目３を結び目収納孔４内に引き込み収納する。
連結紐２の紐の他方の側を携帯品側紐取付け孔２２に通し、紐の他方の側を紐通し孔付き飾り物品１３の結び目止め紐通し孔１６に挿入し、紐の他方の側を結び目収納孔１５の下流側の口１７から出した他方側の紐突出部位２３に、他方の側の結び目である結び目２４を形成して、余分な部位を切り取り先端が解れないようにライター等の炎で軽く炙り溶解固化させ、結び目２４を結び目収納孔１５内に引き込み収納する。
以上の制作工程によって携帯品２１を形成する。
【実施例４】
【００４９】
図５、図６、図７に示す本発明の実施例４において前記実施例１と主に異なる点は、飾り物品本体を下部にリングや紐などの主に連結物品を取り付ける物品取付け孔２５を設けてなる飾り物品本体３０としてなる紐通し孔付き飾り物品２６を形成した点にある。
【００５０】
さらに、物品取付け孔２５にリング部材２８を取付け、このリング部材２８に指や手首に掛ける合成樹脂製のソフトスプリング環２９を備えた紐通し孔付き飾り物品２７を形成している。
このように、紐通し孔付き飾り物品に他の飾り物品を取り付けた形態も、本発明の紐通し孔付き飾り物品に入るものである。
【００５１】
図６において、紐通し孔付き飾り物品１０と紐通し孔付き飾り物品２７を連結紐２で連結して（連結方法は実施例３と同様）、携帯ストラップ３１を形成している。
携帯品３３を上部開口３４から押し入れて収納する有底の携帯ケース３５への、携帯ストラップ３１の取付け手順を説明する。
携帯ケース３５の底部にはカメラレンズのための開口窓３６が設けられている。この開口窓３６に下側から紐通し孔付き飾り物品１０を通して上部開口３４外に出した状態にして、そこに、携帯品３３を嵌め込み収納して、連結紐２を引いて紐通し孔付き飾り物品１０を携帯ケース３５および携帯品３３に当接させる。
【００５２】
図７を参照して、携帯品３３を上部開口３４から押し入れて収納する、側面に携帯品側紐取付け孔２２を有する携帯ケース４０への、携帯ストラップ３１の取付け手順を説明する。
連結紐２を折合わせた状態で携帯品側紐取付け孔２２に通し、通り抜けた部位を広げて潜らせループ４１を形成し、この潜らせループ４１に紐通し孔付き飾り物品１０を潜らせ、ソフトスプリング環２９側の連結紐２を引いて潜らせループ４１を収縮させて紐通し孔付き飾り物品１０を抜けない状態にする。
【実施例５】
【００５３】
図８に示す本発明の実施例５において前記実施例１と主に異なる点は、飾り物品本体を楕円円盤形態の飾り物品本体４４とし、結び目収納孔を結び目止め紐通し孔５が該結び目止め孔上に位置する箇所をわずかに過ぎたところまでの長さである結び目収納孔４５とし、この結び目収納孔４５に連絡して該結び目収納孔４５と直線貫通孔を形成している、結び目収納孔４５よりも小径孔で棒を挿入するための棒通し孔４６を設けてなる紐通し孔付き飾り物品４７を形成した点にある。
棒を差し込む棒通し孔４６が結び目収納孔４５よりも小径であるので、素早く棒通し孔を認識し棒挿入とそれによる結び目の取り出しを素早く行うことができる。
【実施例６】
【００５４】
図９に示す本発明の実施例６において前記実施例１と主に異なる点は、次のようなものである。
（ａ）図のものは、飾り物品本体を紐取付け部５０と、該紐取付け部５０の下部に設けた環部５１と、紐取付け部５０の側部に貫通横穴形態で設けられた結び目収納孔４と、紐取付け部５０の上部から結び目収納孔４に連絡（連通）するように設けられた傾斜孔である結び目留め紐通し孔５とを備えてなる紐通し孔付き飾り物品５２を形成した点にある。
【００５５】
（ｂ）図のものは、紐取付け部５０と環部５１とを一体成型によって一体成型した紐通し孔付き飾り物品５３を形成した点にある。
【００５６】
携帯ストラップの形成例としては、図示しないが例えば、連結紐２の一方側に紐通し孔付き飾り物品５２を取り付け、他方側に紐通し孔付き飾り物品１０を取り付けてなる携帯ストラップを形成することができる。
環部５１に他の飾り物品、ストラップなどを取り付け、飾ることができる。
【実施例７】
【００５７】
図１０に示す本発明の実施例７において前記実施例１と主に異なる点は、以下のとおりである。
（ａ）図において、結び目紐通し孔を向って左下り傾斜の結び目紐通し孔５ａ（結び目紐通し孔５と同じ形態）を中心よりずらした位置に設け、対抗するように右下り傾斜結び目紐通し孔５ｂを、結び目紐通し孔５ａと対抗するように設けた紐通し孔付き飾り物品５４を形成した点にある。
【００５８】
結び目紐通し孔５ａに一本紐である紐５５の一方側を通して結び目５６ａを形成し、他方方側を通して結び目５６ｂを形成し、紐５５をループ紐形態とするのもよい。
また、結び目紐通し孔５ａに一本紐である紐Ａを通し結び目を形成して取付け、結び目紐通し孔５ｂに紐Ｂを通して結び目を形成して取付け、以上の紐Ａ、Ｂの２本の紐が取り付けてなる形態とするのもよい。
【００５９】
（ｂ）図において、紐通し孔付き飾り物品５４と主に異なる点は、結び目紐通し孔を二本形態での紐は当るが、その結び目５６ａ、５６ｂは通らない傾斜形態の結び目紐通し孔５７とした紐通し孔付き飾り物品５８を形成した点にある。
【実施例８】
【００６０】
図１１に示す本発明の実施例８において前記実施例１と主に異なる点は、横貫通の紐通孔を有するボタンを紐通し孔付き飾り物品としたものである。
すなわち、ボタンの本体を飾り物品本体１とし、飾り物品本体１の裏側に設けられた横穴である糸通し孔を結び目収納孔４とし、この結び目収納孔４に斜め傾斜形態で連絡する結び目止め紐通し孔５を設けてなる、紐通し孔付き飾り物品６０（（ａ）図）、紐通し孔付き飾り物品６１（（ｂ）図）、紐通し孔付き飾り物品６２（（ｃ）図）を形成したものである。
【実施例９】
【００６１】
図１２に示す本発明の実施例９において６４は紐通し孔付き飾り物品であって、この紐通し孔付き飾り物品６４は次のような構成となっている。
飾り物品本体６５に、非ループの一本形態の紐６９は通るがその紐６９の結び目６８は通らない形態の第１の結び目止め紐通し孔６６と、この第１の結び目止め紐通し孔６６に連絡された、前記紐６９の前記一本紐形態は通るが前記結び目６８は通らない形態の第２の結び目止め紐通し孔６７とを備えてなるとともに、
前記第１の結び目止め紐通し孔６６と前記第２の結び目止め紐通し孔６７との連絡が、非直角交差形態である傾斜連絡形態であり、第１の結び目止め紐通し孔６７は飾り物品本体６５の裏面７に形成された前記結び目６８が入る形態の溝７０と連絡されて、前記飾り物品本体の内側に前記結び目６８が位置する形態で設けられ、前記第２の結び目止め紐通し孔６７から挿入された前記紐６９の一方側は前記第１の結び目止め紐通し孔６６の出口から出され、その出された前記紐６９の一方側に結び目６８を形成して、前記第２の結び目止め紐通し孔６７から出ている前記紐６９の他方側を引くと、前記結び目６８は前記第１の結び目止め紐通し孔６６の出口を形成している出口形成壁７３で止められ該前記第１の結び目止め紐通し孔６６に入ることが阻止される、以上のような構成となっているものである。
【００６２】
第１の結び目止め紐通し孔６６は貫通孔となっているが、非貫通孔でもよい。
溝７０によって出口形成壁７３は飾り物品本体６５の裏面７１の内側に位置され、よって、結び目６８が出口形成壁７３に当たっている状態では、結び目６８は飾り物品本体６５の裏面７１の内側に位置して、表面７２が看者から見て正面を向いている状態では、結び目６８は裏面７１（飾り物品本体６５の背面側）に隠れて看者からは見えない。
【実施例１０】
【００６３】
図１３に示す本発明の実施例１０において前記実施例９と主に異なる点は、飾り物品本体６５の裏面７１側で第１の結び目止め紐通し孔６６の出口側に出口形成壁７３を形成するように表面７２側を薄肉部７９とした開口穴７４を設け、この開口穴７４を形成する外周壁７７の図で見て上部に突出部位７５を設けてなる構成とし紐通し孔付き飾り物品７６を形成した点にある。
外周壁７７には、第１の結び目止め紐通し孔６６を形成するときのピンによって形成された孔７８が形成されている。
【００６４】
開口穴７４は溝形態でもよい。
突出部位７５は、携帯電話などの携帯品に取り付けた場合に、携帯品の縁等に当たって紐通し孔付き飾り物品７６の向きを所定の向きに保持するためのものである。
紐通し孔付き飾り物品７６の向きを所定の向きに保持する形態は、突起形態ではなく凹み形態でもよい。
【実施例１１】
【００６５】
図１４に示す本発明の実施例１１において前記実施例９と主に異なる点は、外周壁７７を取り去り設けない形態とした、すなわあち、出口形成壁７３の外側を薄肉部７９以外を全面開放形態とした紐通し孔付き飾り物品８０を形成した点にある。
【実施例１２】
【００６６】
図１５に示す本発明の実施例１２において前記実施例１と主に異なる点は、結び目収納孔が溝開口８４を結び目止め紐通し孔５とは反対面側とした溝形態８２であるとともに、後付による他の部材（以下「後付飾り部材８３」という。）によって、溝形態８２の溝開口８４が塞がれて、結び目収納孔４が形成される形態である紐通し孔付き飾り物品８５である。
紐通し孔付き飾り物品８５と後付飾り部材８３とで紐通し孔付き飾り物品８６を形成している。
【００６７】
実施例９、実施例１０、実施例１１の第１の結び目止め紐通し孔６６を、同様に溝開口を結び目止め紐通し孔とは反対面側とした溝形態とした紐通し孔付き飾り物品もよい。
実施例１１の紐通し孔付き飾り物品にあっては、薄肉部７９必要なく設けない形態とするのがよい。すなわち、飾り物品本体６５は半円盤形態でよい。
【００６８】
紐通し孔付き飾り物品８５と後付飾り部材８３の接合一体化は、接着剤（粘着剤を含む）による接合、溶着や融着による接合、紐通し孔付き飾り物品８５側に顎付嵌合孔を複数設け、後付飾り部材８３側に顎付嵌合孔の孔顎に掛かる突起顎を有する顎付突起を複数設けて、紐通し孔付き飾り物品８５と後付飾り部材８３を嵌合形態で接合一体化するなど多様な形態がある。
嵌合接合形態が安価で接合作業も容易であるので好適である。
【００６９】
紐通し孔付き飾り物品８５を共通の統一規格とすることによって、大量に安価に製造することができ、また、溝形態であるので金型が上型と下型のシンプルな構造でよいので、金型も安価にできる。
また、後付飾り部材８３は、孔を設ける必要が無いので構造がシンプルとなり、安価に製造することができる。
【実施例１３】
【００７０】
図１６に示す本発明の実施例１３において前記実施例４と主に異なる点は、物品取付け孔２５を有する部位の横幅を、結び目収納孔４を有する部位よりも幅の狭い肉薄形態にした紐通し孔付き飾り物品８７を形成した点にある。
【００７１】
さらに、物品取付け孔２５に両端が分離された金属製環８８を取付け、この金属製環８８には上部に取付け孔８９有するプレート形態の飾り物品９０を設けてなる紐通し孔付き飾り物品９１を形成している。
【実施例１４】
【００７２】
図１７に示す本発明の実施例１４において９２は紐通し孔付き飾り物品であった、この紐通し孔付き飾り物品９２は次のような構成となっている。
正面を開口部９３とし背面壁９４を有し開口部９３から円形の飾りシートや飾りプレート（図示せず省略）を嵌め入れ、さらにその上に透明のプレート蓋（図示せず省略）嵌め入れる形態の飾りプレート収納部９５、この飾りプレート収納部９５の上部に一体成型によって設けられた突出部９６を有してなる飾り物品本体９７と、
突出部９６の上部から下に向けてあけられた、連結紐２（図示せず省略）は通るがその結び目３は通らない形態の結び目止め紐通し孔９８と、
突出部９６の側面から結び目止め紐通し孔９８に交差形態で連絡するように設けられた、横穴形態の結び目収納孔９９とからなっていて、
結び目収納孔９９の孔形態が、結び目止め紐通し孔９８から挿入されて結び目収納孔９９に入った連結紐２の先端が当たる該結び目収納孔９９の壁面部位が傾斜面１００としている。
【実施例１５】
【００７３】
図１８に示す本発明の実施例１５において、前記実施例１４と主に異なる点は、結び目止め紐通し孔の形態を、結び目止め紐通し孔９８の略真下を頂上１０４にして、該頂上１０４から左右に下りの傾斜面１００、１０１とする結び目収納孔１０２としてなる紐通し孔付き飾り物品１０３を形成した点にある。
結び目止め紐通し孔９８に挿入された紐の先端は、頂上１０４に当たるか、曲っていれば傾斜面１００、１０１のいずれかに当たる。頂上１０４に当たっても、そのまま押し込むと略抵抗無く傾斜面１００、１０１のいずれかの方に先端を向け、紐の押し込み操作によって抵抗少なく円滑に結び目収納孔１０２の外に出る。
【産業上の利用可能性】
【００７４】
本発明は、主に携帯ストラップを製造、販売する産業で利用される。
【符号の説明】
【００７５】
１：飾り物品本体、
２：連結紐、
３：結び目、
４：結び目収納孔、
５、５ａ、５ｂ：結び目止め紐通し孔、
６：下流側の口、
７：上流側の口、
８：一方側の紐突出部位、
１０：紐通し孔付き飾り物品、
１１：誘い込み、
１２：誘い込み、
１３：紐通し孔付き飾り物品、
１４：飾り物品本体、
１５：結び目収納孔、
１６：結び目止め紐通し孔、
１７：下流側の口、
１８：上流側の口、
２０：携帯ストラップ、
２１：携帯品、
２２：携帯品側紐取付け孔、
２３：他方側の紐突出部位、
２４：結び目、
２５：物品取付け孔、
２６：紐通し孔付き飾り物品、
２６：紐通し孔付き飾り物品、
２７：紐通し孔付き飾り物品、
２８：リング部材、
２９：ソフトスプリング環、
３０：飾り物品本体、
３１：携帯ストラップ、
３３：携帯品、
３４：上部開口、
３５：携帯ケース、
３６：開口窓、
４０：携帯ケース、
４１：潜らせループ、
４４：飾り物品本体、
４５：結び目収納孔、
４６：棒通し孔、
４７：紐通し孔付き飾り物品、
５０：紐取付け部、
５１：環部、
５２：紐通し孔付き飾り物品、
５３：紐通し孔付き飾り物品、
５４：紐通し孔付き飾り物品、
５５：紐、
５６ａ、５６ｂ：結び目、
５８：紐通し孔付き飾り物品、
６０：紐通し孔付き飾り物品、
６１：紐通し孔付き飾り物品、
６２：紐通し孔付き飾り物品、
６４：紐通し孔付き飾り物品、
６５：飾り物品本体、
６６：第１の結び目止め紐通し孔、
６７：第２の結び目止め紐通し孔、
６８：結び目、
６９：紐、
７０：溝、
７１：裏面、
７２：表面、
７３：出口形成壁、
７４：開口穴、
７５：突出部位、
７６：紐通し孔付き飾り物品、
７７：外周壁、
７８：孔、
７９：薄肉部、
８０：紐通し孔付き飾り物品、
８２：溝形態、
８３：後付飾り部材、
８４：溝開口、
８５：紐通し孔付き飾り物品、
８６：紐通し孔付き飾り物品、
８７：紐通し孔付き飾り物品、
８８：金属製環、
８９：取付け孔、
９０：飾り物品、
９１：紐通し孔付き飾り物品、
９２：紐通し孔付き飾り物品、
９３：開口部、
９４：背面壁、
９５：飾りプレート収納部、
９６：突出部、
９７：飾り物品本体、
９８：結び目止め紐通し孔、
９９：結び目収納孔、
１００：傾斜面、
１０１：傾斜面、
１０２：結び目収納孔、
１０３：紐通し孔付き飾り物品、
１０４：頂上。
【要約】      （修正有）【課題】紐の手による取付け操作が容易にできる紐通し孔付き飾り物品を提供する【解決手段】紐通し孔付き飾り物品１０は、飾り物品本体１に連結紐２の結び目３を収納することができる結び目収納孔４と、この結び目収納孔４に連絡された、連結紐２は通るが結び目３は通らない形態の結び目止め紐通し孔５とを備えてなるとともに、結び目収納孔４と結び目止め紐通し孔５との連絡が、結び目収納孔４を水平とした場合においては、結び目止め紐通し孔５が真直ぐに傾斜した非直角交差形態である傾斜連絡形態である。【選択図】図１【図１】
0005491668.tif 000002
【図２】
0005491668.tif 000003
【図３】
0005491668.tif 000004
【図４】
0005491668.tif 000005
【図５】
0005491668.tif 000006
【図６】
0005491668.tif 000007
【図７】
0005491668.tif 000008
【図８】
0005491668.tif 000009
【図９】
0005491668.tif 000010
【図１０】
0005491668.tif 000011
【図１１】
0005491668.tif 000012
【図１２】
0005491668.tif 000013
【図１３】
0005491668.tif 000014
【図１４】
0005491668.tif 000015
【図１５】
0005491668.tif 000016
【図１６】
0005491668.tif 000017
【図１７】
0005491668.tif 000018
【図１８】
0005491668.tif 000019